(57)【要約】【課題】  充電用ホルダを用いることにより、カメラ撮影装置のフォーカス調整を定期的に行うことを目的とする。【解決手段】    充電用ホルダ２は、フォーカス調整用パターン２０６と、カメラ撮影装置１をフォーカス調整用パターン２０６に対向させ、当該パターン２０６までの距離が一定となるようにカメラ撮影装置１を固定する固定手段２００〜２０２と、カメラ撮影装置１へ充電電流を供給する給電手段２０３とを備えている。カメラ撮影装置１は、充電用ホルダ２への装着を検出して、２次電池の充電を行うとともに、フォーカス調整用パターン２０６を撮影してフォーカス調整を実行する。【選択図】  図２
2005189406.tif 000002
【特許請求の範囲】
【請求項１】
充電用ホルダへの装着時に、充電用ホルダに設けられたフォーカス調整用チャートに対向する位置に設けられた撮像手段と、
充電用ホルダへの装着を検出する充電検出手段と、
充電検出手段の検出結果に基づいて２次電池の充電を行う充電手段と、
充電検出手段の検出結果に基づいてフォーカス調整を行うフォーカス調整手段とを備えたことを特徴とするカメラ撮影装置。
【請求項２】
充電用ホルダへの装着時に、充電用ホルダのフォーカス調整用チャートを照射可能な位置に設けられ、充電検出手段の検出結果に基づいて点灯する露出調整用ライトを備えたことを特徴とする請求項１に記載のカメラ撮影装置。
【請求項３】
上記露出調整用ライトは、充電検出手段の検出結果に基づく点灯時における発光量が、通常撮影において露出調整を行う場合の発光量よりも小さいことを特徴とする請求項３に記載のカメラ撮影装置。
【請求項４】
フォーカスレンズの駆動データを記憶する駆動データ記憶手段と、
駆動データ記憶手段の駆動データに基づいて、駆動信号を生成する焦点制御手段と、
駆動信号に応じたレンズ位置へフォーカスレンズを駆動するレンズ駆動手段と、
充電用ホルダへの装着時におけるフォーカスレンズの合焦点を求め、駆動データ記憶手段の駆動データを補正するフォーカス調整手段とを備えたことを特徴とする請求項１に記載のカメラ撮影装置。
【請求項５】
上記フォーカスレンズを含む光学系ユニットが、フォーカスレンズのレンズホルダに対し光軸方向の駆動力を発生させるリニアモータと、このレンズホルダを光軸方向に付勢するホルダバネとを有し、
上記レンズ駆動手段が、焦点制御手段からの駆動信号に応じた駆動電流をリニアモータに供給することを特徴とする請求項４に記載のカメラ撮影装置。
【請求項６】
カメラ撮影装置がフォーカス調整を行うためのフォーカス調整用パターンと、
カメラ撮影装置をフォーカス調整用パターンに対向させ、かつ、フォーカス調整用パターンまでの距離が一定となるようにカメラ撮影装置を固定するカメラ固定手段と、
カメラ固定手段により固定された状態でカメラ撮影装置の２次電池に対し充電電流を供給する給電手段とを備えた充電用ホルダ。
【請求項７】
カメラ撮影装置によりフォーカス調整用パターンを撮影可能にするフォーカス調整用レンズを備え、
上記カメラ固定手段が、カメラ撮影装置からフォーカス調整用パターンまでの距離が最短撮影距離よりも短くなる状態でカメラ撮影装置を固定することを特徴とする請求項６に記載の充電用ホルダ。
【発明の詳細な説明】
【技術分野】
【０００１】
本発明は、カメラ撮影装置及び充電用ホルダに係り、さらに詳しくは、充電用ホルダに取り付けてフォーカス調整を行うカメラ撮影装置と、当該フォーカス調整に用いられる充電用ホルダに関する。
【背景技術】
【０００２】
一般に、オートフォーカスカメラは、被写体距離に応じてフォーカスレンズを光軸方向に移動させ、当該フォーカスレンズから受光面までの距離を調整することによって、被写体を受光面に結像させている。撮影画像を銀鉛フィルム等における化学変化として記録するフィルムカメラの場合、測距手段を用いて被写体距離を計測し、その計測結果に基づいてフォーカスレンズの駆動制御を行っている。このため、正しく焦点制御が行われるように製造時にフォーカス調整が行われる（例えば、特許文献１，２）。
【０００３】
これに対し、撮影画像を光電変換して電子データとして電気的に記録する電子カメラの場合、撮影された画像データに基づいて合焦状態を評価し、この評価結果に基づいてフォーカスレンズを駆動することにより、自動焦点制御を実現している。このため、フィルムカメラにおけるようなフォーカス調整作業は本来的に必要とされない（例えば、特許文献３）。
【０００４】
図１０は、従来のオートフォーカスカメラの構成例を示したブロック図であり、電子カメラの焦点制御に関する従来技術を説明するための図である。ＡＦ光学系ユニット１０は、フォーカスレンズ２０、撮像素子２１、リニアモータ２２及び位置センサ２３からなる。被写体からの入射光は、フォーカスレンズ２０によって撮像素子２１の受光面に集光され、カメラ信号に変換される。このフォーカスレンズ２０は、リニアモータ２２により光軸方向に駆動され、そのレンズ位置は、位置センサ２３によって検出される。
【０００５】
上記カメラ信号は、信号増幅部１１において所定の信号レベルに増幅され、カメラ信号処理部１２において所定の信号処理が行われ、画像信号が生成される。ＡＦ信号処理部１３は、この画像信号の合焦状態を評価し、ＡＦ評価信号を生成している。一般に、合焦点で撮影された画像は、隣接する画素間の輝度差が最大となり、輝度信号に高周波成分が多く含まれる。このため、輝度信号中の高周波成分を評価すれば、合焦状態を評価することができる。ＡＦ信号処理部１３は、評価対象となるＡＦ評価エリア、例えば、中央付近の一定領域内の画素データに基づいてＡＦ評価信号を生成している。
【０００６】
焦点制御部１４は、ＡＦ信号処理部１３からのＡＦ評価信号に基づいて、フォーカスレンズ２０を駆動制御するための駆動信号を生成している。モータ駆動部１５は、当該駆動信号によって指定された駆動電流をリニアモータ２２に供給することにより、フォーカスレンズ２０を駆動している。
【０００７】
自動焦点制御を行う場合、焦点制御部１４は、所定範囲についてフォーカスレンズ２０をスキャンさせる。フォーカスレンズ２０のスキャンは、焦点制御部１４が、位置センサ２３の検出信号を監視しながら駆動信号を生成し、所定ステップごとにフォーカスレンズ２０を移動させることによって行われる。スキャン終了後、焦点制御部１４は、各レンズ位置におけるＡＦ評価信号を比較して合焦点を決定し、フォーカスレンズ２０を当該合焦点に移動させる駆動信号を生成し、自動焦点制御は完了する。
【特許文献１】特開平５−９３８４６号公報
【特許文献２】特開平９−９０１９９号公報
【特許文献３】特開平１０−１６４４１７号公報
【発明の開示】
【発明が解決しようとする課題】
【０００８】
上述した通り、電子カメラにおける自動焦点制御では、フォーカスレンズ２０をスキャンさせながら撮影を行って、実際に撮影された画像データの合焦状態を評価し、この評価結果に基づいてフォーカスレンズ２０を合焦点に駆動させている。このため、自動焦点制御の精度を向上させるために調整作業を行う必要は本来的にない。しかしながら、固定焦点制御の精度を向上させるためには、調整作業が必要となる。
【０００９】
固定焦点制御は、極めて近い被写体を撮影するための接写モード等のように、ユーザによって指定された被写体距離が得られるようにフォーカスレンズ２０を駆動する制御方式である。例えば、カメラ付き携帯電話機を用いてバーコード読み取りを行おうとする場合や、その操作者であるユーザ自身を撮影しようとする場合などである。この様な場合に固定焦点制御が行われる。
【００１０】
固定焦点制御の場合、ユーザにより被写体距離が指定され、当該被写体距離に相当するレンズ位置にフォーカスレンズ２０が駆動される。このため、自動焦点制御を行う場合に比べ、フォーカスレンズ２０を合焦点により早く移動させることができ、また、ＡＦ評価領域外に位置する被写体にも合焦させることができる。さらに、固定焦点制御と自動焦点制御とを組み合わせ、ユーザ指定の被写体距離に相当するレンズ位置にフォーカスレンズ２０を駆動した後、その周辺の狭い範囲において自動焦点制御を行えば、通常の自動焦点制御よりも早く合焦状態に達することができる。
【００１１】
このような固定焦点制御を行うためには、ユーザが指定した被写体距離に相当するレンズ位置にフォーカスレンズ２０を移動させるための駆動信号を予め記憶しておく必要がある。ところが、ＡＦ光学系ユニット１０に経時変化が生じた場合や、カメラ撮影装置を落下させるなど強い衝撃が加えられた場合には、駆動信号に対する被写体距離にずれが生じることが考えられる。この場合、固定焦点制御によって、ユーザが指定した被写体距離に合焦させることができなくなるという問題があった。
【００１２】
上記特許文献１，２には、フォーカス調整を行う従来技術が開示されているが、いずれも、カメラ撮影装置の製造段階において実施される調整作業に関するものであり、経時変化や衝撃による事後的な誤差を解消することができるものではなかった。つまり、カメラ撮影装置の出荷後に誤差が生じた場合、ユーザが調整を行うことはできず、販売店又は製造メーカに修理を依頼する他ないという問題があった。
【００１３】
本発明は、上記の事情に鑑みてなされたものであり、コストを抑制しつつ、ユーザサイドにおいてフォーカス調整を行うことができるカメラ撮影装置を提供することを目的とする。また、ユーザが煩雑な作業を行うことなく、フォーカス調整を行うことができるカメラ撮影装置を提供することを目的とする。また、定期的にフォーカス調整が行われるカメラ撮影装置を提供することを目的とする。
【００１４】
さらに、カメラ撮影装置のフォーカス調整を低コストかつ定期的に行うことができる充電用ホルダを提供することを目的とする。また、カメラ撮像装置のフォーカス調整が可能な小型の充電用ホルダを提供することを目的とする。
【課題を解決するための手段】
【００１５】
本発明によるカメラ撮像装置は、充電用ホルダへの装着時に、充電用ホルダに設けられたフォーカス調整用チャートに対向する位置に設けられた撮像手段と、充電用ホルダへの装着を検出する充電検出手段と、充電検出手段の検出結果に基づいて２次電池の充電を行う充電手段と、充電検出手段の検出結果に基づいてフォーカス調整を行うフォーカス調整手段とを備えて構成される。
【００１６】
この様な構成により、カメラ撮像装置を充電用ホルダに装着すれば、充電検出手段が当該装着を検出し、充電手段によって２次電池の充電が行われるとともに、フォーカス調整手段によってフォーカス調整が行われる。このため、ユーザは煩雑な作業を行うことなく、また、フォーカス調整自体についてほとんど意識しなくても、所定の時間間隔でフォーカス調整を実行することができる。このため、当該カメラ撮影装置における焦点制御精度を常に高精度に維持しておくことができる。
【００１７】
また、本発明によるカメラ撮像装置は、充電用ホルダへの装着時に、充電用ホルダのフォーカス調整用チャートを照射可能な位置に設けられ、充電検出手段の検出結果に基づいて点灯する露出調整用ライトを備えて構成される。このような構成により、充電時の環境に左右されることなく、適切な露出条件下でフォーカス調整を行なうことができる。
【００１８】
また、本発明によるカメラ撮像装置は、上記露出調整用ライトが、充電検出手段の検出結果に基づく点灯時における発光量が、通常撮影において露出調整を行う場合の発光量よりも小さくなるように構成される。この様にして、フォーカス調整時における発光量を抑制することにより、余分な電力消費や発熱を防止することができる。
【００１９】
また、本発明によるカメラ撮像装置は、フォーカスレンズの駆動データを記憶する駆動データ記憶手段と、駆動データ記憶手段の駆動データに基づいて、駆動信号を生成する焦点制御手段と、駆動信号に応じたレンズ位置へフォーカスレンズを駆動するレンズ駆動手段と、充電用ホルダへの装着時におけるフォーカスレンズの合焦点を求め、駆動データ記憶手段の駆動データを補正するフォーカス調整手段とを備えて構成される。
【００２０】
この様な構成により、フォーカス調整手段が、合焦点に対応する駆動信号に基づいて駆動データを補正すれば、駆動信号に対するレンズ位置に誤差が生じた場合であっても、当該誤差を補償するように駆動データを補正することができる。従って、レンズ位置を検出するための位置センサを用いなくても、正確な焦点調整を行うことがでできる。更に、レンズ位置に対する被写体距離に誤差が生じた場合でも、当該誤差を補償するように駆動データを補正することができる。
【００２１】
また、本発明によるカメラ撮像装置は、上記フォーカスレンズを含む光学系ユニットが、フォーカスレンズのレンズホルダに対し光軸方向の駆動力を発生させるリニアモータと、このレンズホルダを光軸方向に付勢するホルダバネとを有し、上記レンズ駆動手段が、焦点制御手段からの駆動信号に応じた駆動電流をリニアモータに供給するように構成される。このような構成により、ホルダバネの付勢力と、リニアモータの駆動力をバランスさせてレンズ位置を制御することができ、位置センサを用いることなく、焦点制御を行うことができる。しかも、ホルダバネの経時変化等により焦点制御に誤差が生じた場合であっても、フォーカス調整手段が、駆動データを補正することによって焦点制御の精度を維持する。
【００２２】
また、本発明による充電用ホルダは、カメラ撮影装置がフォーカス調整を行うためのフォーカス調整用パターンと、カメラ撮影装置をフォーカス調整用パターンに対向させ、かつ、フォーカス調整用パターンまでの距離が一定となるようにカメラ撮影装置を固定するカメラ固定手段と、カメラ固定手段により固定された状態でカメラ撮影装置の２次電池に対し充電電流を供給する給電手段とを備えて構成される。
【００２３】
この様な構成により、ユーザがカメラ撮影装置を充電用ホルダに装着するだけで、カメラ撮影装置の２次電池を充電するとともに、カメラ撮影装置のフォーカス調整を行うことができる。従って、ユーザが煩雑な作業を行うことなく、また、ユーザがほとんど意識することなく、フォーカス調整を定期的に実施することができる。
【００２４】
また、本発明による充電用ホルダは、カメラ撮影装置によりフォーカス調整用パターンを撮影可能にするフォーカス調整用レンズを備え、カメラ固定手段が、カメラ撮影装置からフォーカス調整用パターンまでの距離が最短撮影距離よりも短くなる状態でカメラ撮影装置を固定するように構成される。この様な構成により、フォーカス調整可能な充電用ホルダを小型化することができる。
【発明の効果】
【００２５】
本発明によれば、フォーカス調整用チャートが設けられた充電用ホルダに、カメラ撮影装置を装着すれば、カメラ撮影装置の充電及びフォーカス調整を行うことができる。このため、コストを抑制しつつ、ユーザサイドにおいてフォーカス調整を行うことができるカメラ撮影装置を提供することができる。また、ユーザが煩雑な作業を行うことなく、フォーカス調整を行うことができるカメラ撮影装置を提供することができる。また、定期的にフォーカス調整が行われるカメラ撮影装置を提供することができる。
【００２６】
さらに、カメラ撮影装置のフォーカス調整を低コストかつ定期的に行うことができる充電用ホルダを提供することができる。また、カメラ撮像装置のフォーカス調整が可能な小型の充電用ホルダを提供することができる。
【発明を実施するための最良の形態】
【００２７】
実施の形態１．
図１は、本発明の実施の形態１によるカメラ撮影装置の一例を示した外観図であり、いわゆるカメラ付き携帯電話機１が示されている。この携帯電話機１は、第１筐体１００及び第２筐体１０１が連結部１０２により可動連結され、両筐体１００，１０１はその前面を内側にして折り畳むことができ、折り畳み時には背面側が外側に露出した状態となる。
【００２８】
第１筐体１００の前面にはメイン表示部１０３が配置され、背面にはサブ表示部１０４が配置されている。また、第２筐体の前面にはキー操作部１０５が配置され、背面にはカメラ部１０６及びライト部１０７を近接させて配置されている。このため、折り畳み時には、一方の面にサブ表示部１０４、他方の面にカメラ部１０６及びライト部１０７が配置された状態となる。
【００２９】
また、第２筐体１０１には、その長手方向の一方に充電用係止部１０８が設けられ、他方に充電端子１０９が設けられている。ここでは、充電用係止部１０８が連結部１０２側の端部に設けられ、充電端子１０９が先端側の端部に設けられているが、その逆であってよい。充電用係止部１０８は、カメラ付き携帯電話機１の内蔵電池を充電する際、後述する充電用ホルダ２に係止させるためのものであり、充電用ホルダ２から２つの充電端子１０９を介して充電電流が供給される。
【００３０】
図２は、本発明の実施の形態１による充電用ホルダ２の一例を示した図である。図中の（ａ）には、充電用ホルダ２の平面図、（ｂ）には、そのＡ−Ａ切断線による断面図が示されている。また、図３は、カメラ付き携帯電話機１を充電用ホルダ２に装着して充電を行っている様子を示した図であり、（ａ）が充電用ホルダ２の平面図、（ｂ）が側面図である。
【００３１】
充電用ホルダ２は、給電ケーブル２０４を介してＡＣアダプタ２０５が接続されており、ＡＣアダプタ２０５が商用電源を直流電源に変換し、充電用ホルダ２に充電電流を供給している。この充電電流は、充電端子１０９に接触させた給電端子２０３を介して、カメラ付き携帯電話機１へ供給される。
【００３２】
携帯電話機１の内蔵電池の充電は、携帯電話機１を充電用ホルダ２に装着することによって行われる。充電用ホルダ２に設けられたガイド部２００，２０１は、携帯電話機１を充電用ホルダ２に装着する際の位置決めを行う手段である。また、携帯電話機１の充電用係止部１０８を、充電用ホルダ２の係止部２０２に係合させるとともに、充電端子１０９を給電端子２０３に接触させた状態で充電が行われる。つまり、係止部２０２は、充電中の携帯電話機１の位置決めを行うとともに、容易に脱落しないように携帯電話機１を保持している。
【００３３】
充電用ホルダ２には、携帯電話機１の装着面上にフォーカス調整用チャート２０６が設けられている。このフォーカス調整用チャート２０６は、携帯電話機１の充電中にカメラ部１０６のフォーカス調整を行うためのものであり、携帯電話機１は、第２筐体１０１の背面をフォーカス調整用チャート２０６に対向させて充電用ホルダ２に装着され、この状態で携帯電話機１のカメラ部１０６に対向する位置にフォーカス調整用チャート２０６が配置されている。
【００３４】
後述するように、携帯電話機１においてＡＦ評価信号に基づくフォーカス調整が行われる場合、フォーカス調整用チャート２０６を構成するパターンは、コントラストの傾きが大きいパターンであることが望ましく、また、そのようなパターンを多く含んでいることが望ましい。例えば、市松模様からなるパターンがフォーカス調整用チャート２０６として好適である。
【００３５】
充電用ホルダ２に装着された携帯電話機１は、上記位置決め手段によって、位置決めされているため、充電中のカメラ部１０６はフォーカス調整用チャート２０６に正対し、また、カメラ部１０６からフォーカス調整用カメラまでの距離は常に一定距離となる。なお、充電用ホルダ２は、少なくとも充電中の携帯電話機１が装着されるものであればよく、図２に示した様にＡＣアダプタ２０５に接続されるものであってもよいし、ＡＣアダプタ２０５を内蔵するものであってもよい。
【００３６】
携帯電話機１を充電用ホルダ２に装着した場合、フォーカス調整用チャート２０６は、携帯電話機１及び充電用ホルダ２に挟まれて暗くなり、フォーカス調整を行う際、露出不足となる。このため、フォーカス調整用チャート２０６は、ライト部１０７により照射可能となるように配置され、携帯電話機１は、ライト部１０７を点灯させてフォーカス調整を行う。
【００３７】
なお、ライト部１０７の点灯に代えて、外光をフォーカス調整用チャート２０６へ導入する採光手段を充電用ホルダ２に設けてもよいが、この場合には、環境による影響を受けることになる。フォーカス調整中は、図３の（ａ）に示したように、携帯電話機１のサブ表示部１０４にその旨が表示される。
【００３８】
図４は、図１の携帯電話機１の内部構成の一例を示したブロック図であり、図１に示された構成要素に相当するブロックには同一符号を付している。無線部３１は、ＲＦ送受信回路からなり、アンテナを介して無線基地局（不図示）との間で無線通信を行っている。表示部３２は、メイン表示部１０３及びサブ表示部１０４と、これらの制御回路とからなる。音声入出力部３３は、送話用マイク及び受話用レシーバ（ともに不図示）からなる。主制御部３０はマイクロプロセッサからなり、各ブロック３１〜３３、１０５〜１０７の動作制御を行っている。
【００３９】
バッテリー３４は、携帯電話機１を構成する各ブロックを駆動する電池電源であり、リチウムイオン電池などの２次電池からなる。バッテリー充電部３５は、過充電防止回路を含むバッテリー３４の充電回路からなり、充電用ホルダ２の給電端子２０３から携帯電話機１の充電端子１０９へ電源供給が行われた場合に、バッテリー３４の充電を行っている。充電検出部３６は、バッテリー３４が充電用ホルダ２に装着されていることを検出する手段であり、例えば、充電端子１０９の電圧レベルに基づいて、主制御部３０へ検出信号を出力するものとする。
【００４０】
まず最初に、ユーザがキー操作部１０５の電源ボタンを操作すると、携帯電話機１の電源がオンされ、無線通信処理が起動される。例えば、主制御部３０が無線部３１を制御して無線基地局との通信を開始し、当該携帯電話機１を収容する通信システムへの位置登録処理などが実行される。この結果、携帯電話機１は発着信可能な状態となる。
【００４１】
電源オンの状態で、ユーザがキー操作部１０５のモード選択キーを操作し、携帯電話機１の動作モードをカメラモードにすれば、主制御部３０からカメラ部１０６へ焦点制御信号を含むカメラモード信号が出力される。カメラ部１０６は、このカメラモード信号に基づいて、指定された焦点制御を開始するとともに、所定のフレームレートで撮影された画像データを主制御部３０へ出力する。この画像データは、モニター画像として表示部３２へ出力され、メイン表示部１０３又はサブ表示部１０４に表示される。
【００４２】
カメラモードにおいて、ユーザがキー操作部１０５のレリーズキーを操作した場合、主制御部３０は、カメラ部１０６に対し撮影信号を出力するとともに、必要に応じてライト部１０７へ点灯信号を出力する。その後、カメラ部１０６から出力された画像データは、主制御部３０によってメモリ（不図示）に記録されるとともに、表示部３２により表示される。なお、ライト部１０７は、露出調整用のいわゆるフラッシュであり、ライト部１０７を点灯させる必要があるか否か、また、点灯させる場合の光量は、カメラ部１０６の画像データに基づいて主制御部３０により決定される。
【００４３】
この携帯電話機１を充電用ホルダ２に装着した場合、充電検出部３６からは検出信号が出力される。この検出信号に基づいて、バッテリー充電部３５はバッテリー３４の充電を開始する。また、主制御部３０は、この検出信号に基づいて、カメラ部１０６に対しフォーカス調整信号を出力するとともに、必要に応じてライト部１０７へ点灯信号を出力する。カメラ部１０６は、主制御部３０からのフォーカス調整信号に基づいて、フォーカス調整用チャート１０６を撮影してフォーカス調整を行う。
【００４４】
フォーカス調整中は、主制御部３０の指示に基づいて、表示部３２はサブ表示部１０４に「フォーカス調整中」を表示させる。また、ライト部１０７は、通常の撮影における点灯時よりも小さな光量で点灯させ、消費電力及び発熱を抑制している。通常撮影時における光量は露出状態によって異なるが、最低光量よりも小さな光量とすることが望ましい。なお、ライト部１０７は、充電検出部３６の検出信号に基づいて、充電用ホルダ２への装着中、常に点灯させてもよいが、フォーカス調整実行中だけ点灯させる方がより望ましい。
【００４５】
フォーカス調整は、電源のオンオフ状態にかかわらず、充電検出部３６からの検出信号に基づいて実行される。また、動作モードにかかわらず実行される。従って、電源オフの状態で携帯電話機１を充電用ホルダ２に装着した場合、位置登録、発信及び着信を含む無線通信処理は行われないが、カメラ部１０６及びライト部１０７が起動され、自動的にフォーカス調整が開始される。一方、電源オンの状態で携帯電話機１を充電用ホルダ２に装着した場合には、位置登録などの無線通信処理は必要に応じて実行され、発着信可能な状態でフォーカス調整が開始される。
【００４６】
また、フォーカス調整中に携帯電話機１を充電用ホルダ２から離脱させた場合、充電検出部３６からの検出信号が出力されなくなる。このため、主制御部３０は、カメラ部１０６が実行中のフォーカス調整を中断させ、点灯中のライト部１０７を消灯させる。例えば、電源オンの状態で行われているフォーカス調整中に着信があった場合、ユーザがオフフックするために携帯電話機１を取り上げた場合には、フォーカス調整が中断される。
【００４７】
図５は、図４のカメラ部１０６の詳細な構成例を示したブロック図である。このカメラ部１０６は、ＡＦ光学系ユニット１０、信号増幅部１１、カメラ信号処理部１２、ＡＦ信号処理部１３、焦点制御部１４、モータ駆動部１５及び駆動データ記憶部１６により構成される。図１０に示した従来のカメラ撮影装置と比較すれば、駆動データ記憶部１６を備え、ＡＦ光学系ユニット１０が位置センサを有することなく構成される点で相違する。また、焦点制御部１４がフォーカス調整を行う点でも相違する。
【００４８】
ＡＦ光学系ユニット１０は、フォーカスレンズ２０、撮像素子２１及びリニアモータ２２からなる。フォーカスレンズ２０は、光軸方向に移動可能なピント調整用レンズであり、様々な距離の被写体を撮像素子２１の受光面に結像させることができる。撮像素子２１は、ＣＣＤ（Charge-Coupled Device）、ＣＭＯＳイメージセンサなどからなる光電変換手段であり、カメラ信号を生成している。リニアモータ２２は、フォーカスレンズ２０を駆動する駆動手段であり、モータ駆動部１５により供給される駆動電流に応じたレンズ位置へ駆動することができる。
【００４９】
撮像素子２１で生成されたカメラ信号は、信号増幅部１１により所定の信号レベルに増幅され、カメラ信号処理部１２により所定の信号処理が行われ、画像データとして、主制御部３０へ出力される。また、ＡＦ信号処理部１３は、所定のＡＦ評価エリアについて画像データの合焦状態を評価し、ＡＦ評価信号を生成している。
【００５０】
焦点制御部１４は、フォーカスレンズ２０を駆動制御するための駆動信号を生成し、主制御部３０により指定された焦点制御を実行している。すなわち、焦点制御部１４からの駆動信号によって指定された駆動電流をモータ駆動部１５がリニアモータ２２へ供給することにより、フォーカスレンズ２０を所定のレンズ位置に駆動し、ピント調整が行われる。また、焦点制御部１４は、主制御部３０からのフォーカス調整信号に基づいて、駆動データ記憶部１６の駆動データを補正し、フォーカス調整を実行している。
【００５１】
焦点制御部１４による自動焦点制御は、従来の場合と同様である。すなわち、全可動範囲又は所定範囲についてフォーカスレンズ２０をスキャンさせ、各レンズ位置におけるＡＦ評価信号を比較して合焦点を決定する。そして、当該合焦点に相当する駆動信号を生成し、フォーカスレンズ２０を当該合焦点に移動させる。
【００５２】
一方、固定焦点制御を行う場合には、駆動データ記憶部１６内に保持されている駆動データが用いられる。固定焦点制御は、ユーザがキー操作部１０５から指定した被写体距離や、主制御部３０において実行中のアプリケーションプログラムが指定した被写体距離に基づいて行われる。例えば、バーコード読み取りモードや、ユーザ（操作者）自身の撮影モード、遠景の撮影モードなどが指定された場合に固定焦点制御が実行される。
【００５３】
焦点制御部１４は、被写体距離の指定を含む固定焦点制御信号が主制御部３０から入力されると、当該被写体距離に相当する駆動データを駆動データ記憶部１６から読み出し、駆動信号としてモータ駆動部１５へ出力する。この結果、所望の合焦点にフォーカスレンズ２０を移動させることができる。必要に応じて、その後、狭いスキャン範囲について自動焦点制御を行ってもよい。
【００５４】
更に、焦点制御部１４は、駆動信号と被写体距離の対応関係の誤差を補正するためのフォーカス調整処理を行っている。落下などによって携帯電話機１に強い衝撃が加えられた場合、ＡＦ光学系ユニット１０に何らかの歪みが生じ、駆動信号に対する被写体距離にズレが生じることがある。また、ＡＦ光学系ユニット１０の経時変化によっても、この様なズレが生じ得る。充電用ホルダ２を用いてフォーカス調整処理を行い、このような誤差を補償すれば、常に正確な固定焦点制御を行うことが可能になる。
【００５５】
携帯電話機１が充電用ホルダ２に装着されると、カメラ部１０６においてフォーカス調整が開始される。すなわち、焦点制御部１４が、所定の距離に配置されたフォーカス調整用チャート２０６への合焦点を求め、当該合焦点に相当する駆動信号に基づいて、駆動データ記憶部１６内の駆動データを補正する。例えば、元の駆動データを補正後の駆動データに更新され、あるいは、元の駆動データとともに、その補正処理に必要な補正データが新たに格納される。
【００５６】
図６は、図５のＡＦ光学系ユニット１０の一構成例を示した模式図である。フォーカスレンズ２０は、円筒形状のレンズホルダ５１内に固定され、レンズホルダ５１が、光軸方向５５に移動可能となるようにユニット筐体５０内に収容されている。被写体からの入射光は、レンズホルダ５１の中空部を通り、フォーカスレンズ２０によって撮像素子２１の受光面に集光される。
【００５７】
リニアモータは、コイル５２、マグネット５３及びホルダバネ５４により構成される。コイル５２は、レンズホルダ５１の側面に固定され、その円周方向へ巻回させた導電線からなる。マグネット５３は、ユニット筐体５０に固定され、コイル５２に対向させ、コイル５２を取り囲むように配置された永久磁石からなる。このため、コイル５２に駆動電流を供給すれば、レンズホルダ５２には、光軸方向５５に駆動電流に応じた駆動力が作用する。
【００５８】
ホルダバネ５４は、レンズホルダ５１を光軸方向５５に付勢する手段であり、レンズホルダ５１は、ホルダバネ５４の付勢力と、駆動電流によって発生させた駆動力とが釣り合う位置へ駆動される。つまり、駆動電流によってレンズ位置が決定されるので、位置センサを使用することなく、フォーカスレンズ２０の位置を制御することができる。
【００５９】
しかしながら、ホルダバネ５４の付勢力が、経時変化などにより変動すれば、駆動電流に対応するレンズ位置に誤差が生じ、駆動電流が被写体距離に対応しなくなってしまう。また、何らかの理由により、撮像素子２１の受光面の位置に誤差が生じた場合にも、駆動電流に対応する被写体距離に誤差が生ずることになる。このような場合、固定焦点制御の制御誤差が大きくなるため、フォーカス調整が必要になる。
【００６０】
図７のステップＳ１０１〜Ｓ１０７は、フォーカス調整処理の一例を示したフローチャートである。携帯電話機１が充電用ホルダ２に装着されると、充電検出部３６から検出信号が出力される（ステップＳ１０１）。この検出信号に基づいて主制御部３０からカメラ部１０６へフォーカス調整信号が出力される。焦点制御部１４は、フォーカス調整信号に基づいて、フォーカス調整を開始する。フォーカス調整は、フォーカスレンズ２０のスキャン処理（ステップＳ１０２〜Ｓ１０６）と、駆動データの補正処理（ステップＳ１０７）からなる。
【００６１】
まず初めに、フォーカスレンズ２０を所定のスキャン始点に移動させる（ステップＳ１０２）。このとき、ＡＦ信号処理部１３から出力されるＡＦ評価信号を記憶した後、予め定められた距離だけフォーカスレンズ２０を移動させる（ステップＳ１０３，Ｓ１０４）。所定のスキャン終点に達するまで、ステップＳ１０３及びＳ１０４が繰り返される（ステップＳ１０５）。ただし、このスキャン中に、携帯電話機１が充電用ホルダ２から離脱し、充電検出部３６から検出信号が出力されなくなれば、フォーカス処理を中止する（ステップＳ１０６）。
【００６２】
所定のスキャン範囲について、フォーカスレンズ２０のスキャンが終了すれば、各レンズ位置で求められたＡＦ評価信号を比較することにより、合焦点に相当する駆動信号が得られる。焦点制御部１４は、この駆動信号に基づいて、駆動データ記憶部１６に保持されている駆動データを補正する（ステップＳ１０７）。
【００６３】
本実施の形態によれば、充電用ホルダ２にフォーカス調整用チャート２０６を設け、携帯電話機１を充電用ホルダ２に装着することによって、フォーカス調整を行っている。このため、特別な装置を用いることなく、また、ユーザがほとんど意識することなく、ユーザサイドにおいてフォーカス調整を行うことができる。
【００６４】
特に、携帯電話機１の内蔵電池は、定期的に充電しなければならないことから、定期的にフォーカス調整を行うことができ、焦点制御の精度を常に高精度に維持することができる。また、携帯電話機１を充電用ホルダ２に装着するだけで、自動的にフォーカス調整が実行されることから、何ら煩雑な操作を必要としない。さらに、フォーカス調整中に、携帯電話機１が充電用ホルダ２から離脱した場合には、フォーカス調整処理を中止しているため、誤ったフォーカス調整が行われることがない。
【００６５】
また、充電中は、ライト部１０７を点灯させることにより、精度よくフォーカス調整を行うことができる。しかも、通常撮影における発光時よりも小さな光量で点灯させることにより、消費電力や発熱を抑制することができる。
【００６６】
実施の形態２．
実施の形態１では、カメラ付き携帯電話機１のフォーカス調整を充電用ホルダ２を用いて行う場合の例について説明した。本実施の形態では、このような充電用ホルダ２を小型化する方法について説明する。
【００６７】
充電用ホルダ２に設けられたフォーカス調整用チャート２０６を撮影し、その合焦点を求めることによりフォーカス調整を行う場合、カメラ部１０６からフォーカス調整用チャート２０６までの距離は、カメラ部１０６の最短撮影距離以上になっている必要がある。つまり、充電用ホルダ２は、カメラ部１０６の最短撮影距離に応じたサイズにする必要があることから、フォーカス調整機能を付加することによって、大型化してしまうことが考えられる。
【００６８】
図８は、本発明の実施の形態２による充電用ホルダ２の一構成例を示した図である。図中の（ａ）は平面図、（ｂ）は、Ｂ−Ｂ切断線による断面図である。なお、図２に示された構成部分に相当する部分については、同一の符号を付して詳細な説明を省略する。
【００６９】
充電用ホルダ２の装着面上には、携帯電話機１のカメラ部１０６に対向する位置に凹部２０７が設けられ、当該凹部２０７内にフォーカス調整用チャート２０６が設けられている。充電用ホルダ２に携帯電話機１を装着した状態で、カメラ部１０６がフォーカス調整用チャート２０６を撮影することができ、ライト部１０７がフォーカス調整用チャート２０６を照射することができるように、上記凹部２０７は、柱状又はテーパー状の形状からなり、その底部にフォーカス調整用チャート２０６が配置されている。このため、充電用ホルダ２のサイズを抑制しつつ、カメラ部１０６からフォーカス調整用チャート２０６までの距離を増大させることができる。
【００７０】
また、携帯電話機１は、実施の形態１の場合と同様、充電用ホルダ２の設置面に対して角度を有する姿勢で、充電用ホルダ２に装着される。この場合、携帯電話機１のカメラ部１０６の撮影方向（つまり、図６における光軸方向５５）も、設置面の垂線に対し角度を有している。このため、充電用ホルダ２の高さを抑制しつつ、凹部２０７の奥行きを確保することができる。
【００７１】
図９は、本発明の実施の形態２による充電用ホルダ２の他の構成例を示した図である。図中の（ａ）は平面図、（ｂ）は、Ｃ−Ｃ切断線による断面図である。なお、図２及び図８に示された構成部分に相当する部分については、同一の符号を付して詳細な説明を省略する。
【００７２】
凹部２０７の開口部には、フォーカス調整用レンズ２０８が設けられている。フォーカス調整用レンズ２０８は、カメラ部１０６から見たフォーカス調整用レンズ２０８までの距離を増大させるための手段であり、例えば凸レンズからなる。この場合、フォーカス調整用チャートからの入射光は、フォーカス調整用レンズ２０８及びフォーカスレンズ２０を介して、撮像素子２１の受光面に集光される。
【００７３】
つまり、フォーカス調整用レンズ２０８をフォーカス調整用チャート２０６の前方に配置することにより、カメラ部１０６からフォーカス調整用チャート２０６までの距離を等価的に増大させることができる。従って、充電用ホルダ２のサイズを抑制しつつ、カメラ部１０６から見たフォーカス調整用チャート２０６までの距離を増大させることができる。
【００７４】
この様なフォーカス調整用レンズ２０８を用いることによって、カメラ部１０６からフォーカス調整用チャート２０６までの距離が、カメラ部１０６の最低撮影距離より短くてもフォーカス調整を行なうことができ、充電用ホルダ２をさらに小型化することができる。ここでいう最低撮影距離とは、カメラ部１０６によって撮影が可能な被写体距離の最小値である。
【００７５】
なお、本実施の形態では、折り畳み式の携帯電話機の場合の例について説明したが、本発明は、折り畳み式のものに限定されるものではなく、折り畳み式でない携帯電話機にも適用することができる。更に、本発明はカメラ付き携帯電話機に限定されない。すなわち、カメラ撮影機能を有し、２次電池によって駆動される様々な電子機器、例えばＰＨＳ、ＰＤＡ、ノートパソコン、デジタルカメラなどに適用することができる。
【００７６】
また、本実施の形態では、カメラ付き携帯電話機の充電中にフォーカス調整を行う場合の例について説明したが、本発明は、このような場合に限定されない。すなわち、電子機器を充電用ホルダに装着した状態でフォーカス調整を行うことが出来るものであればよく、充電開始前にフォーカス調整を行うものであってもよいし、充電完了後にフォーカス調整を行うものであってもよい。
【図面の簡単な説明】
【００７７】
【図１】本発明の実施の形態１によるカメラ撮影装置の一例を示した外観図である。
【図２】本発明の実施の形態１による充電用ホルダ２の一例を示した図である。
【図３】カメラ付き携帯電話機１を充電用ホルダに装着して充電を行っている様子を示した図である。
【図４】図１の携帯電話機１の内部構成の一例を示したブロック図である。
【図５】図４のカメラ部１０６の詳細な構成例を示したブロック図である。
【図６】図５のＡＦ光学系ユニット１０の一構成例を示した模式図である。
【図７】フォーカス調整処理の一例を示したフローチャートである。
【図８】本発明の実施の形態２による充電用ホルダ２の一構成例を示した図である。
【図９】本発明の実施の形態２による充電用ホルダ２の他の構成例を示した図である。
【図１０】従来のオートフォーカスカメラの構成例を示したブロック図である。
【符号の説明】
【００７８】
１  携帯電話機  
２  充電用ホルダ
１０  光学系ユニット
１１  信号増幅部
１２  カメラ信号処理部
１３  ＡＦ信号処理部
１４  焦点制御部
１５  モータ駆動部
１６  駆動データ記憶部
２０  フォーカスレンズ
２１  撮像素子
２２  リニアモータ
３０  主制御部
３４  バッテリー
３５  バッテリー充電部
３６  充電検出部
１０５  キー操作部
１０６  カメラ部
１０７  ライト部
１０８  充電用係止部
１０９  充電端子
２００，２０１  ガイド部
２０２  係止部
２０３  給電端子
２０４  給電ケーブル
２０６  フォーカス調整用チャート
２０７  凹部
２０８  フォーカス調整用レンズ
【図１】
2005189406.tif 000003
【図２】
2005189406.tif 000004
【図３】
2005189406.tif 000005
【図４】
2005189406.tif 000006
【図５】
2005189406.tif 000007
【図６】
2005189406.tif 000008
【図７】
2005189406.tif 000009
【図８】
2005189406.tif 000010
【図９】
2005189406.tif 000011
【図１０】
2005189406.tif 000012